(57)【要約】【課題】散薬の薬包が倒れ、薬がこぼれ出ないように立てることができる薬包保持具を提供する。さらに薬包をカットする為の刃物を、起立部に固着した部材を有する薬包保持具を提供する。【解決手段】受け皿の底面の適宜の場所に薬包を立てた状態で保持するための、前記薬包の両面を保持する部材を有することを特徴とする。この保持部材には刃物が固着し、さらに保持部材は着脱することができる。【選択図】図１
2005312465.tif 000002
【特許請求の範囲】
【請求項１】
薬包を立てた状態で保持するための、前記薬包の両面を保持する部材を有する薬包保持具。
【請求項２】
薬包をカットするための刃物を、起立部に固着した部材を有する請求項１の薬包保持具。
【請求項３】
薬包をカットするための刃物付起立部を、着脱する為の部材を有する請求項１請求項２の薬包保持具
【発明の詳細な説明】
【発明の詳細な説明】
【技術分野】
【０００１】  本発明は、顆粒や散薬が入った袋（薬包）であって、一辺をカットしたものにおいては、その内部の薬がこぼれ出ないようにするための薬包保持具。
又、その一辺をカットする為に薬包保持具の起立部に固着した刃物で、切り取ることができる薬包保持具に関するものである。
【背景技術】
【０００２】  従来、散薬を飲むときに、封を切った薬包をちょっと置きたい場合、その置き場所に困ることが多かった。このような場合には、トレーやテーブルに直接置いていたが、薬包を立てることが出来ず、切り口が直接台に接触し不衛生であったり、そのうえ薬がこぼれ出るおそれがあった。
又、薬包をカットする場合は、手で引きちぎるか鋏みを使用していた。
【発明が解決しょうとする課題】
【０００３】  本発明のうち請求項１に記載の発明は、前記従来の技術の有する課題に鑑みてなされたもので、薬包が倒れ、薬がこぼれ出ないように立てることが出来る衛生的な薬包保持具の提供を目的とする。
【０００４】  請求項２に記載の発明は、請求項１に記載の発明の目的に加え、服用時、その薬包の一辺を手で引きちぎった為に薬が飛び散ったりすることがある。これらを防ぐために、鋏を準備しなくてはならないが、手間である。
さらに、指先の細かい動作が出来にくい高齢者や障害者にとっては鋏を使用することが不得手であったり、又鋏等は刃部が露出している為に危険な場合もある。そこで、前記を解決するために、前述の起立部の隙間に収納した刃部を部分的に露出した切り込み部が形成され、そのうえ皮膚等が刃部に直接触れないように、起立部の部材によりガードされた刃物付薬包保持具の提供を目的とする。
【０００５】  請求項３に記載の発明は、請求項１又は請求項２記載の発明の目的に加え、薬包をカットする為の刃物が磨耗したときには取替えができる。この取替え時の着脱方法は、安全性のため刃物に直接皮膚が触れないように起立部の部材によりガードされた刃物付起立部全体が着脱自在である刃物付薬包保持具の提供を目的とする。
【課題を解決するための手段】
【０００６】  前述の目的を達成するために、本発明のうち請求項１に記載の発明は、薬包を立てた状態で保持するための、前記薬包の両面を保持する部材を有する薬包保持具を形成したことを特徴とする。
【０００７】  請求項２に記載の発明は、前記薬包保持具に薬包をカットする為の刃物を設け、皮膚が触れないように、起立部の部材によりガードされ安全であることを特徴とする。
【０００８】  請求項３に記載の発明は、請求項１又は請求項２記載の発明の構成に加え刃物付起立部の刃物が磨耗した場合には、刃物付起立部全体を取り替え自在にすることにより、利便性や安全性を確保したことを特徴とする。
【発明を実施するための最良の形態】
【０００９】  以下、本発明の実施の形態を図示例に基づいて説明する。【００１０】  図１はじめ図２において、受け皿１は、陶器、木、ガラス、プラスチック、漆器等適宜の素材で形成され、受け皿１の適宜の位置に薬包保持部材としての２列の起立部３を固着又は突出させる。【００１１】  このようにすると、起立部３が止め板となり薬包２の底端部が起立部３の間に支持されるので、薬包２は立った状態となって支承され、安定する。
なお、起立部３は適宜箇所に何個また何列設けてもよい。【００１２】  なお、薬包２を立った状態にする方法としては、複数の起立部３と受け皿１の縁を利用して支持してもよい。【００１３】  図３において、受け皿７は、角型のものを例示したが、図１、図２と同じく適宜の素材で形成され、受け皿７の適宜の位置に薬包保持部材としての２列の起立部３を固着又は突出させる。
さらに、この受け皿７には薬包４と同時にカプセルや錠剤５、水を飲む為のコップ６を乗せてもよい。こうすることで薬を飲む作業性が向上し好適である。【００１４】  図４において、起立部を６本の棒体８で構成したものを例示したが、棒体起立部８の各間隙部に薬包９を方向自在に挿入することができる。
さらに、受け皿１にはカプセルや錠剤５を乗せてもよい。
なお、起立部の棒体は何本設けてもよい。【００１５】  図５において、起立部の先端部を、鈍磨した剣山のような突起１０（ブラシ状突起）を植設したものを例示した。
前述同様に、受け皿にはカプセルや錠剤５を乗せることができる。【００１６】  図６において、受け皿１の適宜の位置に薬包保持部材としての円筒形の起立部１１を固着又は突出させる。
前述同様に、受け皿にはカプセルや錠剤５を乗せることができる。【００１７】  このようにすると、薬包１２は円筒形の起立部１１の内壁に支持されるので、立った状態となって支承され、安定する。【００１８】  図７において、受け皿１６の起立部１３においては、その一列の起立部の横平行に側端部から隙間１５を有する。その隙間１５の間に刃物１４を挟み込んで、刃部が外向きになるように設置することで、薬包を隙間１５に引き込むだけで開封作業を行うことができる。【００１９】  図８において、受け皿１８の底面裏側１７がコップ２８の蓋として使用できる。【００２０】  図９において、受け皿１８の底面裏側１７における蓋使用の断片図である。【００２１】  図１０において、受け皿２６の刃物付起立部１９を着脱自在に取替え交換作業を容易に行う為に、刃物付起立部１９と係合部２０に凹凸を設けてスライド可能にして片方に滑止材２１を設け、刃物付起立部１９を係合部２０の収容溝内にスライドできるようにする。
なお、カプセルや錠剤５受部の形にはこだわらない。【００２２】  図１１において、刃物付起立部１９と係合部２０及び滑止材２１の正面図。【００２３】  図１２において、刃物付起立部１９及び隙間１５、刃物１４と係合部２０の凹凸部２２の右側面図。【００２４】  図１３において、刃物付起立部１９と滑止材２１の左側面図。【００２５】  図１４において、受け皿２３に対して刃物付起立部の係合部の棒状突起によって係合凹凸部の凹部２５と係合される。【００２６】  図１５において、刃物付起立部２７の係合部として棒状突起２４を示した図である。【００２７】  図１６において、受け皿２９の刃物付起立部２７における係合部３２には、手が不自由であったり、指先の細かい動作が出来にくい高齢者や障害者にとっても着脱しやすい、マグネット及び鋼製材を接着して着脱自在としたものである。
その上薬袋（薬複数個入れる袋）３０においても薬袋３０の両面を支持し起立状態となって支承される部材（薬袋支持部材）３１を有する受け皿である。
また、正面の薬袋支持部材３１には写真、絵葉書等の挿入物を上部より挿し込める額縁を形成したものを例示した。
このように、額に好きな絵や写真を飾ることによって、薬を服用しなければならない人々の心の癒しになる。なお、例示の絵は一例である。
また、前述同様にカプセル、錠剤やコップも受け皿２９に乗せてもよい。【００２８】    図１７において、薬袋支持部材３１を折りたたんで収納できる想像線を描いた受け皿２９を例示した。このとき刃物付起立部２７は受け皿の隅部において、自由に収納することができる。
もちろん、薬袋支持部材３１はたえず起立してもよいが、折りたためることで収納時、薬袋支持部材３１がかさばらないように本棚等に立てて収納したり、狭い場所にコンパクトに収納できる。
また、商品として梱包する場合はコストがかからないように、折りたたんで梱包すると安価である。
なお、薬袋支持部材３１は適宜箇所に何列突出または固着してもよい。【００２９】  なお、受け皿の形状として、丸型１，１６，２３角型７，２６，２９のものを例示したが、他の形状、例えば楕円形、ハート型、三角形、隅角部を丸めた角型、他、形にはこだわらないことは、当然である。【００３０】  また、図１４及び図１５において、係合部凹部２５と棒状突起２４が相互に逆形状になってもよい。
【発明の効果】
【００３１】  以上に述べたように、封を切った薬包をちょっと置きたい場合に受け皿の起立部の間に、薬包を立てて置くことができるので便利である。
さらに、指先の細かい動作が出来にくい老人や障害者は、ブラシ状突起、円筒形の起立部であれば方向自在に薬包を立てることができる。
そのうえ、起立部の隙間に刃物が収納されているので、刃部が露出した鋏を利用しなくてよいので安全である。
また、同時に服用することの多いカプセルや錠剤、そして水を飲む為のコップもセットした場合には、より利便性が高くなる。
【図面の簡単な説明】
【図１】本発明の第１の実施の形態の平面図である。
【図２】本発明の第１の実施の形態の平面中央横断面図である。
【図３】本発明の第２の実施の形態の斜視図である。
【図４】本発明の第３の実施の形態の平面図である。
【図５】本発明の第４の実施の形態の斜視図である。
【図６】本発明の第５の実施の形態の斜視図である。
【図７】本発明の第６の実施の形態の斜視図である。
【図８】本発明の第７の実施の形態の斜視図である。
【図９】本発明の第７の実施の形態の一部破断平面図である。
【図１０】本発明の第８の実施の形態の背面斜視図である。
【図１１】本発明の刃物付起立部の実施の形態の平面図である。
【図１２】本発明の刃物付起立部の実施の形態の右側面図である。
【図１３】本発明の刃物付起立部の実施の形態の左側面図である。
【図１４】本発明の第９の実施の形態の背面斜視図である。
【図１５】本発明の第２の刃物付起立部の実施の形態の平面図である。
【図１６】本発明の第１０の実施の形態の斜視図である。
【図１７】本発明の第１０の実施の形態の想像線を描いた右側面図である。
【符号の説明】
１，７，１６，１８，２３，２６，２９・・・・・受け皿
２，４，９，１２・・薬包
３・・・・・・・・・起立部
５・・・・・・・・・カプセル、錠剤
６，２８・・・・・・コップ
８・・・・・・・・・棒体起立部
１０・・・・・・・・・ブラシ状突起
１１・・・・・・・・・円筒形起立部
１３，１９，２７・・・刃物付起立部
１４・・・・・・・・・刃物
１５・・・・・・・・・隙間
１７・・・・・・・・・蓋になる部分
２０・・・・・・・・・係合部凹台
２１・・・・・・・・・滑止材
２２・・・・・・・・・凹凸部
２４・・・・・・・・・棒状突起
２５・・・・・・・・・係合部凹部
３０・・・・・・・・・薬袋
３１・・・・・・・・・薬袋支持部材
３２・・・・・・・・・係合部
【図１】
2005312465.tif 000003
【図２】
2005312465.tif 000004
【図３】
2005312465.tif 000005
【図４】
2005312465.tif 000006
【図５】
2005312465.tif 000007
【図６】
2005312465.tif 000008
【図７】
2005312465.tif 000009
【図８】
2005312465.tif 000010
【図９】
2005312465.tif 000011
【図１０】
2005312465.tif 000012
【図１１】
2005312465.tif 000013
【図１２】
2005312465.tif 000014
【図１３】
2005312465.tif 000015
【図１４】
2005312465.tif 000016
【図１５】
2005312465.tif 000017
【図１６】
2005312465.tif 000018
【図１７】
2005312465.tif 000019